(57)【要約】【課題】キッチン以外の居住空間も含めた屋内の空気質の改善を図るためのレンジフードを含む換気システムにおいて、防犯性の良い換気システムを提供する。【解決手段】換気システム１００は、建物ＨＳ内に設置されるレンジフード１０と、建物に設けられる開閉可能な窓４０と、窓の外側に設けられる電動式のシャッター３０と、少なくともレンジフードおよびシャッターを制御する制御部２０と、を備え、制御部は、レンジフードの運転の開始を制御する際にシャッターが閉状態となるように制御する。窓が開閉制御可能な電動式である場合、レンジフードの運転の開始を制御する際に窓を開作動およびシャッターを閉作動するように制御する。【選択図】図１
2020118421.tif 000002
【特許請求の範囲】
【請求項１】
建物の内部に設置されるレンジフードと、
前記建物に設けられる開閉可能な窓と、
前記窓の外側に設けられる電動式のシャッターと、
少なくとも前記レンジフードおよび前記シャッターを制御する制御部と、
を備え、
前記制御部は、前記レンジフードの運転の開始を制御する際に前記シャッターが閉状態となるように制御する、
換気システム。
【請求項２】
前記シャッターは、開閉制御可能な通気口を備え、
前記制御部は、前記レンジフードの運転の開始を制御する際に前記通気口を開状態となるように制御することを特徴とする請求項１に記載の換気システム。
【請求項３】
前記窓は、開閉制御可能な電動式であり、
前記制御部は、前記レンジフードの運転の開始を制御する際に、前記窓を開作動および前記シャッターを閉作動するように制御することを特徴とする請求項１または２に記載の換気システム。
【請求項４】
前記制御部は、前記レンジフードの運転の開始を制御する際に、前記窓を開作動させる前に前記シャッターを閉状態となるように制御することを特徴とする請求項３に記載の換気システム。
【請求項５】
前記制御部は、前記シャッターを開作動させる前に前記窓を閉状態となるように制御することを特徴とする請求項４に記載の換気システム。
【請求項６】
前記窓と前記シャッターの間に網戸をさらに備え、
前記制御部は、開状態となる前記窓に対応した位置に前記網戸がない場合は前記窓を開状態としないことを特徴とする請求項３乃至５のいずれかに記載の換気システム。
【請求項７】
前記窓の位置を検知する窓位置検知部と、使用者に報知する報知部と、をさらに備え、
前記窓は、手動式で開閉可能であり、
前記制御部は、前記レンジフードの運転の開始を制御する際に前記窓位置検知部に前記窓の位置を検知させ、前記窓位置検知部は前記窓が閉状態であることを検知した場合、前記報知部は前記窓が閉状態である旨の報知を行い、
その後前記窓位置検知部は前記窓が開状態になったことを検知した場合、前記シャッターを閉状態となるように制御することを特徴とする請求項１または２に記載の換気システム。
【発明の詳細な説明】
【技術分野】
【０００１】
本発明は、換気システムに関する。
【背景技術】
【０００２】
従来から、建物に設けられる窓やシャッターを含めて換気システムを構成する技術が提案されている。たとえば、特許文献１は、住宅などの建物内の湿度を考慮した換気や通気を行う建物用換気システムを開示する。この通気乾燥システムでは、洗濯物の近傍の屋内湿度センサにより検出する屋内湿度と、屋外湿度検出手段により検出する屋外湿度及び快適湿度とする基準湿度に基づいて、引戸、折戸、シャッターのスラットの回動及び換気扇の作動を制御することにより、乾燥室に洗濯物が干された場合の洗濯物の乾燥を促進し、また、乾燥室及びリビングルームなどが基準湿度となるように通気を行う。
【先行技術文献】
【特許文献】
【０００３】
【特許文献１】特開２０１２−１８０９５３号公報
【発明の概要】
【発明が解決しようとする課題】
【０００４】
一般に、レンジフードは、キッチンに設置される調理器具（コンロ等）の近傍に設置され、調理から発生する油煙などの物質を大きな排気風量により捕集し、屋外へ排出するために使用される。レンジフードが大排気風量でキッチン内の空気を屋外へ排出するとき屋内は負圧となるため、リビングルームや寝室の窓などの建物の開口部から外気が屋内に取り入れられることがある。そうすると、屋外の空気が屋内の空気と入れ替わり混入することにより、屋内の空気質は徐々に屋外の空気質に近づくことになる。発明者らは、この現象を利用し、一般住宅に設置される排気ファンの中では最大の排気風量を有するレンジフードの新しい利用方法として、キッチン以外の居住空間も含めた屋内の空気質の改善を図るためのレンジフードを含む換気システムを提案している。
【０００５】
しかし、レンジフードの新しい利用方法は、その住宅に暮らす人が在宅しておらず遠隔からなされる場合も想定されており、レンジフード使用時に住宅の居室の窓を開けたままにするのは防犯上好ましくない。また、在宅している場合であっても一人暮らしのような場合は同様に好ましいとは言えない。
【０００６】
そこで、本発明は、かかる事情を鑑みて考案されたものであり、キッチン以外の居住空間も含めた屋内の空気質の改善を図るためのレンジフードを含む換気システムにおいて、防犯性の良い換気システムを提供する。
【課題を解決するための手段】
【０００７】
上記課題を解決するために、建物内に設置されるレンジフードと、建物に設けられる開閉可能な窓と、窓の外側に設けられる電動式のシャッターと、少なくともレンジフードおよびシャッターを制御する制御部と、を備え、制御部は、レンジフードの運転の開始を制御する際にシャッターが閉状態となるように制御する換気システムが提供される。
これによれば、レンジフードの運転の開始を制御する際にシャッターが閉状態となるように制御することで、キッチン以外の居住空間も含めた屋内の空気質の改善を図るためのレンジフードを含む換気システムにおいて防犯性の良い換気システムを提供することができる。
【０００８】
さらに、シャッターは、開閉制御可能な通気口を備え、制御部は、レンジフードの運転の開始を制御する際に通気口を開状態となるように制御することを特徴としてもよい。
これによれば、シャッターが通気口を備える場合、通気口を開状態となるように制御することで、防犯性を維持したうえで良好な空気質の改善を図ることができる。
【０００９】
さらに、窓は、開閉制御可能な電動式であり、制御部は、レンジフードの運転の開始を制御する際に、窓を開作動およびシャッターを閉作動するように制御することを特徴としてもよい。
これによれば、窓が開閉制御可能である場合、窓を開作動させ、シャッターを閉作動させるように制御することで、シャッターと窓の開閉作動中にも高い防犯性を確保できる。
【００１０】
さらに、制御部は、レンジフードの運転の開始を制御する際に、窓を開作動させる前にシャッターを閉状態となるように制御することを特徴としてもよい。
これによれば、窓が開閉制御可能である場合、窓が開状態となる前にシャッターを閉状態となるように制御することで、シャッターと窓の開閉作動中にも高い防犯性を確保できる。
【００１１】
さらに、制御部は、シャッターを開作動させる前に窓を閉状態となるように制御することを特徴としてもよい。
これによれば、レンジフードの運転を停止する際シャッターを開作動させる前に窓を閉状態となるように制御することで、シャッターと窓の開閉作動中にも高い防犯性を確保できる。
【００１２】
さらに、窓とシャッターの間に網戸をさらに備え、制御部は、開状態となる窓に対応した位置に網戸がない場合は窓を開状態としないことを特徴としてもよい。
これによれば、開状態となる窓に対応した位置に網戸がない場合は窓を開状態としないことで、防犯性に加え防虫性も確保できる。
【００１３】
さらに、窓の位置を検知する窓位置検知部と、使用者に報知する報知部と、をさらに備え、窓は、手動式で開閉可能であり、制御部は、レンジフードの運転の開始を制御する際に窓位置検知部に窓の位置を検知させ、窓位置検知部は窓が閉状態であることを検知した場合、報知部は窓が閉状態である旨の報知を行い、その後窓位置検知部は窓が開状態になったことを検知した場合、シャッターを閉状態となるように制御することを特徴としてもよい。
これによれば、手動式の窓の場合、窓が閉状態の場合には使用者に報知し、使用者が窓を開状態にしたとき、シャッターを閉作動させるように制御することで、手動式の窓であっても屋内の空気質の改善を図ると共に高い防犯性を確保できる。
【発明の効果】
【００１４】
以上説明したように、本発明によれば、キッチン以外の居住空間も含めた屋内の空気質の改善を図るためのレンジフードを含む換気システムにおいて、防犯性の良い換気システムを提供することができる。
【図面の簡単な説明】
【００１５】
【図１】本発明に係る第一実施例および第二実施例の換気システムが建物に設置された場合を示す図。
【図２】本発明に係る第一実施例の換気システムのブロック図。
【図３】本発明に係る第一実施例および第二実施例の換気システムにおける制御フローを示すフローチャート。
【図４】本発明に係る第一実施例の換気システムにおける開閉状態確認処理を示すフローチャート。
【図５】本発明に係る第一実施例の換気システムにおける不適正位置報知処理を示すフローチャート。
【図６】本発明に係る第一実施例の換気システムにおけるレンジフード運転前開閉制御処理を示すフローチャート。
【図７】本発明に係る第一実施例の換気システムにおけるレンジフード停止後開閉制御処理を示すフローチャート。
【図８】本発明に係る第二実施例の換気システムのブロック図。
【図９】本発明に係る第二実施例の換気システムにおける開閉状態確認処理を示すフローチャート。
【図１０】本発明に係る第二実施例の換気システムにおけるレンジフード運転前開閉制御処理を示すフローチャート。
【図１１】本発明に係る第二実施例の換気システムにおけるレンジフード停止後開閉制御処理を示すフローチャート。
【図１２】本発明に係る第一実施例および第二実施例の換気システムにおけるシャッターの通気口を示す斜視図。
【図１３】本発明に係る第一実施例および第二実施例の換気システムにおける網戸と窓の位置関係を示す模式図。
【発明を実施するための形態】
【００１６】
以下では、図面を参照しながら、本発明に係る各実施例について説明する。
＜第一実施例＞
図１乃至図７を参照し、本実施例における換気システム１００を説明する。換気システム１００は、建物ＨＳ（本実施例では住宅）の屋内の空気質を屋外の空気質に近づけるために建物ＨＳの開口部から外気を取り入れる目的でレンジフード１０を機能させる際、住宅の居室の窓を開けたままにするなど防犯上好ましくない場合に、レンジフード１０と開口部に位置する建具（窓やシャッターなど）と連動させるものである。レンジフード１０は、キッチンに設置されるコンロＢＮの上方に設けられ、コンロＢＮで調理される際に発生する油煙等を含む空気を吸引し屋外に排出することにより、油煙等が屋内に拡散することを防止する。換気システム１００におけるレンジフード１０は、このような通常のレンジフードとしての機能を有すると共に、屋内の空気質を屋外の空気質に近づけるために機能する。
【００１７】
なお、本明細書における空気質とは、空気を構成する物質（たとえば、酸素、一酸化炭素、二酸化炭素など）、空気に含まれる物質（たとえば、水分、油分、塵埃、におい物質などが微粒子状或いはガス状となったもの）、空気の運動エネルギーを示す指標（温度）などを言い、人間が感じ得るまたは影響を受け得る空気の質を示す概念である。空気質は、一般的には、温度、湿度、一酸化炭素濃度、汚染物質濃度などとして、それぞれの空気質に対応した検知器（センサ）を用いて測定される。
【００１８】
レンジフード１０は、通常キッチンに設置される調理器具（コンロＢＮ等）の近傍に設置され、調理から発生する油煙などの物質を大きな排気風量により捕集し、屋外へ排出するために使用される。レンジフード１０が大排気風量でキッチン内の空気を屋外へ排出するとき屋内は負圧となるため、リビングルームや寝室の窓などの建物の開口部から外気が屋内に取り入れられることになる。そうすると、屋外の空気が屋内の空気と入れ替わり混入することにより、屋内の空気質は徐々に屋外の空気質に近づくことになる。発明者らは、この現象を利用し、一般住宅に設置される排気ファンの中では最大の排気風量を有するレンジフードの新しい利用方法として、キッチン以外の居住空間も含めた屋内の空気質の改善を図るためのレンジフード１０を含む換気システム１００を提案している。
【００１９】
一方、このようなレンジフード１０の新しい利用方法は、その住宅に暮らす人が在宅しておらず遠隔からなされる場合も想定されており、不在の時にレンジフード１０を使用して外気を取り入れるために住宅の居室の窓を開けたままにする場合や、在宅していても一人暮らしの場合は防犯上好ましくない。かかる問題に鑑み、レンジフード１０は、後述するコントローラ２０（制御部）からの指示を受け、開口部にある窓４０やシャッター３０と連動する。
【００２０】
換気システム１００は、建物ＨＳの屋内に設置されるレンジフード１０と、建物ＨＳに設けられる開閉制御可能な電動式の窓４０と、窓４０の外側に設けられる開閉制御可能な電動式のシャッター３０と、窓４０とシャッター３０の間に位置する網戸５０と、レンジフード１０、シャッター３０および窓４０を制御するコントローラ２０と、使用者に報知する報知部６０と、を備える。図２に示すように、レンジフード１０は、自身の運転を制御するＲＨ制御部１１と、コントローラ２０と通信を行うＲＨ通信部１３と、使用者からの操作を受け付ける操作部１２とを備える。ＲＨ制御部１１は、使用者が操作部１２の運転開始／停止ボタンなどを操作すると運転を開始／停止すると共に、コントローラ２０からＲＨ通信部１３を経由して運転開始信号／運転停止信号を受信すると運転を開始／停止する。
【００２１】
窓４０は、建物ＨＳに設けられた電動式の開閉制御可能な窓である。窓４０は、コントローラ２０と通信を行う窓通信部４３と、窓４０の開閉を駆動する窓駆動部４２と、窓４０の位置を検知する窓位置検知部４１とを備える。窓位置検知部４１は、窓４０が閉まっているのか、開いているのか、開いている場合にはどの程度開いているのか、引違窓の場合にはどちらの窓が開いているのかなどを検知し、窓通信部４３を介してコントローラ２０へこれらの検知情報を送信する。窓駆動部４２は、窓通信部４３を介してコントローラ２０から窓４０を開く旨の開信号または閉める旨の閉信号を受信すると窓４０を駆動し開閉する。
【００２２】
シャッター３０は、窓４０の外側に設けられた電動式の開閉制御可能なシャッターであり、図１２に示すシャッター３０が閉められた状態でも通気を確保するための通気口３９を有する。シャッター３０は、コントローラ２０と通信を行うＳＨ通信部３５と、シャッター３０の開閉を駆動するＳＨ駆動部３２と、シャッター３０の位置を検知するＳＨ位置検知部３１と、通気口３９の開閉を駆動する通気口駆動部３４と、を備える。ＳＨ位置検知部３１は、シャッター３０が閉まっているのか、開いているのか、開いている場合にはどの程度開いているのかなどを検知し、ＳＨ通信部３５を介してコントローラ２０へこれらの検知情報を送信する。ＳＨ駆動部３２は、ＳＨ通信部３５を介してコントローラ２０からシャッター３０を開く旨の開信号または閉める旨の閉信号を受信するとシャッター３０を駆動し開閉する。通気口駆動部３４は、通気口３９の前面に設けられたルーバー３８を開閉することで通気口３９を開閉する。通気口駆動部３４は、ＳＨ通信部３５を介してコントローラ２０からルーバー３８を開く旨の開信号または閉める旨の閉信号を受信するとルーバー３８を駆動し通気口３９を開閉する。
【００２３】
網戸５０は、窓４０とシャッター３０の間に位置するように設けられる。網戸５０は、コントローラ２０と通信を行う網戸通信部５２と、網戸５０の位置を検知する網戸位置検知部５１と、を備える。網戸位置検知部５１は、網戸５０がどの位置にあるのかを検知し、網戸通信部５２を介してコントローラ２０へこの検知情報を送信する。窓４０が引違窓である場合、網戸５０は、図１３に示すように、窓４０との位置関係により望ましい位置と望ましくない位置がある。
【００２４】
本図（Ａ１）では、左側の窓４０が開放されていて網戸５０は左側の窓枠ＦＬに当接しているので、網戸５０が適正に閉められている状態である。本図（Ａ２）では、右側の窓４０が開放されていて網戸５０は右側の窓枠ＦＬに当接しているので、網戸５０が適正に閉められている状態である。本図（Ａ３）では、右側の窓４０が半分程度開放されていて網戸５０は右側の窓枠ＦＬに当接しているので、網戸５０が適正に閉められている状態である。この本図（Ａ１）〜（Ａ３）が最も望ましい状態である。本図（Ａ４）では、左側の窓４０が半分程度開放されていて網戸５０は左側の窓枠ＦＬに当接しているので、網戸５０が適正に閉められている状態である。ただし、網戸５０と左側の窓４０の間にすき間があるので、そのすき間から小さな虫などが侵入する余地がある。
【００２５】
本図（Ｂ１）では、窓４０は閉められているが、網戸５０が左右どちらの窓枠ＦＬにも当接していないので、網戸５０は適正な位置にあるとは言えない。本図（Ｂ２）では、左側の窓４０が開放されていて網戸５０は網戸５０が左右どちらの窓枠ＦＬにも当接していないので、網戸５０は適正な位置にあるとは言えない。本図（Ｂ３）では、左側の窓４０が８０％程度開放されていて網戸５０は網戸５０が左右どちらの窓枠ＦＬにも当接していないので、網戸５０は適正な位置にあるとは言えない。本図（Ｂ４）では、右側の窓４０が８０％程度開放されていて網戸５０は網戸５０が左右どちらの窓枠ＦＬにも当接していないので、網戸５０は適正な位置にあるとは言えない。したがって、本図（Ａ１）〜（４）の網戸５０は望ましい位置にあると言えるが、本図（Ｂ１）〜（Ｂ４）の網戸５０は望ましくない位置にあると言える。
【００２６】
なお、上述したＳＨ位置検知部３１、窓位置検知部４１、網戸位置検知部５１の検知方法は、この種の建具の公知の位置検知方法により検知される。また、同様に、ＳＨ駆動部３２、窓駆動部４２の駆動方法は、この種の建具の公知の駆動方法により駆動される。
【００２７】
報知部６０は、屋内の人に対する視覚的刺激（ランプ等の点滅など）や聴覚的刺激（ブザー等の鳴動など）の一方または両方の方法により報知を行う。本実施例では、報知部６０は、コントローラ２０と一体として設けられるが、報知器を別体として設けてもよい。報知部６０は、網戸５０が適正な位置にない場合などに使用者にその旨を報知する。
【００２８】
コントローラ２０（制御部）は、レンジフード１０、シャッター３０、窓４０、網戸５０、報知部６０と通信を行い、検知情報を収集し、制御を行う。また、コントローラ２０は、屋内または屋外（遠隔も含む）にある操作端末ＴＭと通信を行い、検知情報や報知情報などを送信したり、指示信号を受信したりする。コントローラ２０は、上記のものと通信を行う通信部２１を有する。通信部２１は、遠隔にある操作端末ＴＭと通信をする機能、ＲＨ通信部１３と通信をする機能、ＳＨ通信部３５と通信をする機能、窓通信部４３と通信をする機能、網戸通信部５２と通信をする機能、報知通信部６１と通信をする機能を有する。通信部２１におけるそれぞれの通信機能は、特に限定されず、公知の通信技術により適宜実行される。
【００２９】
コントローラ２０は、様々な演算処理を行うマイクロプロセッサ、ＯＳ（Ｏｐｅｒａｔｉｎｇ Ｓｙｓｔｅｍ）等の制御プログラム・各種の処理手順等を規定したプログラム・所要データや所定の空気質条件などを格納するためのメモリ、通信部２１を構成するネットワークインターフェースなどが内部バス等を介して互いに接続されたものである。コントローラ２０を構成する機能は、これらのハードウェアと協働して実現される。
【００３０】
レンジフード１０は、大きな排気風量で排気する能力を有するため空気を屋外へ排出するとき屋内は負圧となり、建物ＨＳの開口部（たとえば開放された窓４０）から外気が屋内に取り入れられる。そうすると、屋外の空気が屋内の空気と入れ替わり混入することにより、屋内の空気質は徐々に屋外の空気質に近づくことになる。換気システム１００は、この現象を利用した、キッチン以外の居住空間も含めた屋内の空気質の改善を図ることも可能である。
【００３１】
たとえば、使用者は、帰宅する前に建物ＨＳから離れた場所から操作端末ＴＭを操作して、建物ＨＳの屋内の空気質（たとえば温度）を改善するために、レンジフード１０の運転を開始するように、真夏の夜などに指示を出す。昼間に非常に気温が高くなり日光が当たる部屋では、温室効果により屋内の温度は非常に高くなることがある。そして、夕方に夕立などで雨が降り、屋外の気温は下がったが、屋内の温度は窓などを締め切っている場合は熱が籠って屋内の温度はあまり下がらない。このような場合に、大きな排気風量を有するレンジフード１０により、屋内の熱気のある空気を排出し、屋外の比較的ひんやりした空気を取り入れることで、屋内の温度を屋外の温度に徐々に近づけることができる。その結果、使用者が建物ＨＳに帰宅する時には屋内は熱が籠っていない比較的涼しい状態となっている。
【００３２】
この場合、窓４０のような大きな開口部から屋外の空気を取り入れると効果が大きいが、不在の時に窓４０を開放することは防犯上好ましくない。そこで、換気システム１００のコントローラ２０は、操作端末ＴＭからレンジフード１０の運転の開始の信号を受信し、レンジフード１０の開始を制御する際に、シャッター３０が閉状態となるように制御する。シャッター３０が閉状態とは、シャッター３０が完全に下まで降りて、侵入者が開放された窓４０から入れない状態である。コントローラ２０は、通信部２１とＳＨ通信部３５を介してＳＨ駆動部３２に対して閉信号を送信し、閉信号を受信したＳＨ駆動部３２は、シャッター３０を閉めるよう駆動する。このように、レンジフード１０の運転の開始を制御する際にシャッター３０が閉状態となるように制御することで、キッチン以外の居住空間も含めた屋内の空気質の改善を図るためのレンジフード１０を含む換気システム１００において防犯性の良い換気システム１００を提供することができる。
【００３３】
なお、シャッター３０は、屋外の空気を取り入れるための通気口３９を有しているので、コントローラ２０は、シャッター３０が閉状態になったときに通気口３９を開けるためのルーバー３８を駆動する開信号を、通信部２１とＳＨ通信部３５を介して通気口駆動部３４に対して送信してもよい。このように、シャッター３０が通気口３９を備える場合、通気口３９を開状態となるように制御することで、防犯性を維持したうえで良好な空気質の改善を図ることができる。
【００３４】
また、コントローラ２０は、レンジフード１０の運転の開始を制御する際に、開閉制御可能な窓４０を開けるように作動させ、シャッター３０を閉めるように作動させることが好ましい。コントローラ２０は、通信部２１と窓通信部４３を介して窓駆動部４２に対して開信号を送信する。窓４０を開けるように作動させるとは、閉まっていた窓４０をある程度開けて、屋外の空気が流入してくるような開口部を形成することを言う。このように、窓４０が開閉制御可能である場合、窓４０を開作動させ、シャッター３０を閉作動させるように制御することで、シャッター３０と窓４０の開閉作動中にも高い防犯性を確保できる。なお、窓４０を開作動させるタイミングとシャッター３０を閉作動させるタイミングは、いずれが先であってもよいが、コントローラ２０は、窓４０を開作動させる前にシャッター３０を閉状態となるように制御することが好ましい。このように、窓４０が開状態となる前にシャッター３０を閉状態となり完全に閉められ状態になるように制御することで、シャッター３０と窓４０の開閉作動中にも高い防犯性を確保できる。
【００３５】
また、コントローラ２０は、開状態となる窓４０に対応した位置に網戸５０がない場合は窓４０を開状態としないことが好ましい。たとえば、図１３（Ａ１）に示すように、左側の引違窓が開く場合、左側に網戸５０がある場合には窓４０を開状態にするが、右側に網戸５０がある場合には窓４０を開状態にしない。逆に、図１３（Ａ２）に示すように、右側の引違窓が開く場合、右側に網戸５０がある場合には窓４０を開状態にするが、左側に網戸５０がある場合には窓４０を開状態にしない。このように、開状態となる窓４０に対応した位置に網戸５０がない場合は窓４０を開状態としないことで、防犯性に加え防虫性のも確保できる。なお、開状態となる窓４０に対応した位置に網戸５０がない場合、報知部６０は、その旨を使用者に報知してもよい。
【００３６】
図３乃至図７を参照して、換気システム１００におけるコントローラ２０の処理フローについて説明する。なお、フローチャートにおけるＳＴはステップを意味する。図３は、シャッター連動換気制御のメインフローを示す。コントローラ２０は、ＳＴ１００において、操作端末ＴＭからレンジフード１０の運転の開始の信号（換気開始信号）を受信する。そうすると、コントローラ２０は、ＳＴ２００において、シャッター３０、通気口３９、窓４０、網戸５０の状態の確認を行う。
【００３７】
より具体的には、図４に示すように、コントローラ２０は、ＳＴ２０２において、通信部２１とＳＨ通信部３５を介してＳＨ位置検知部３１が検知したシャッター３０の状態を取得し、シャッター３０が閉状態にあるか否かを検査する。シャッター３０が閉状態でない場合、コントローラ２０は、ＳＴ２１０において、シャッター閉鎖フラグをＯＮにする。シャッター３０が閉状態である場合は何もしない。コントローラ２０は、ＳＴ２０４において、同様に通気口開閉検知部（図示せず）が検知した通気口３９の状態を取得し、通気口３９が開放状態にあるか否かを検査する。通気口３９が開放状態でない場合、コントローラ２０は、ＳＴ２１２において、通気口開放フラグをＯＮにする。通気口３９が開放状態である場合は何もしない。
【００３８】
コントローラ２０は、ＳＴ２０６において、通信部２１と窓通信部４３を介して窓位置検知部４１が検知した窓４０の状態を取得し、窓４０が開放状態にあるか否かを検査する。窓４０が開放状態でない場合、コントローラ２０は、ＳＴ２１４において、窓開放フラグをＯＮにする。窓４０が開放状態である場合は何もしない。コントローラ２０は、ＳＴ２０８において、通信部２１と網戸通信部５２を介して網戸位置検知部５１が検知した網戸５０の状態を取得し、網戸５０が適正位置にあるか否かを検査する。網戸５０が適正位置にない場合、コントローラ２０は、ＳＴ２１６において、不適正位置フラグをＯＮにする。網戸５０が適正位置にある場合は何もしない。
【００３９】
それぞれの状態を確認したら、コントローラ２０は、ＳＴ３００において、網戸５０が不適正位置にあった場合の報知を行う。より具体的には、図５に示すように、コントローラ２０は、ＳＴ３０２において、不適正位置フラグがＯＮされているか否かを検査する。ＯＮであった場合、コントローラ２０は、ＳＴ３０４において、報知部６０に網戸５０が不適正位置にある旨の報知を行うように指示する。これにより、報知部６０は、報知を行う。コントローラ２０は、網戸５０が不適正位置にある場合以下の処理を行わずにＳＴ２００の網戸５０等の状態の確認を行い、網戸５０が適正位置にある場合以下の処理を行う。なお、網戸５０の状態の確認の結果、網戸５０が閉状態になったことを検知した場合も、動作を再開して以下の処理を行う。
【００４０】
コントローラ２０は、ＳＴ４００において、レンジフード１０を運転させる前に、シャッター３０、通気口３９、窓４０の開閉制御処理を行う。より具体的には、図６に示すように、コントローラ２０は、Ｓ４０２において、シャッター閉鎖フラグがＯＮか否かを検査する。シャッター閉鎖フラグがＯＮである場合すなわちシャッター３０が開放されている場合、ＳＴ４０４において、シャッター３０が閉状態となるように制御する。すなわち、コントローラ２０は、通信部２１とＳＨ通信部３５を介してＳＨ駆動部３２に対して閉作動させるように指示をする。シャッター閉鎖フラグがＯＮでない場合、コントローラ２０は、何もしない。なお、コントローラ２０は、日中にはシャッター３０を閉状態としなくともよい。却って、シャッター３０が閉まっていることで防犯上問題が生ずる場合がある。また、コントローラ２０は、夜間はシャッター３０に面する部屋の照明を暗くするように制御してもよい。
【００４１】
コントローラ２０は、Ｓ４０６において、通気口開放フラグがＯＮか否かを検査する。通気口開放フラグがＯＮである場合すなわち通気口３９が開放状態でない場合、ＳＴ４０８において、通気口３９が開放状態となるように制御する。すなわち、コントローラ２０は、通信部２１とＳＨ通信部３５を介して通気口駆動部３４に対して開作動させるように指示をする。通気口開放フラグがＯＮでない場合、コントローラ２０は、何もしない。コントローラ２０は、Ｓ４１０において、窓開放フラグがＯＮか否かを検査する。窓開放フラグがＯＮである場合すなわち窓４０が開放状態でない場合、ＳＴ４１２において、窓４０が開放状態となるように制御する。すなわち、コントローラ２０は、通信部２１と窓通信部４３を介して窓駆動部４２に対して開作動させるように指示をする。窓開放フラグがＯＮでない場合、コントローラ２０は、何もしない。コントローラ２０は、ＳＴ４１４において、シャッター閉鎖フラグ、通気口開放フラグ、窓開放フラグをクリアする。
【００４２】
それぞれの開閉制御を行ったら、コントローラ２０は、ＳＴ５００において、レンジフード１０の運転の開始を制御する。すなわち、コントローラ２０は、通信部２１とＲＨ通信部１３を介してＲＨ制御部１１に対して排気ファン（図示せず）を回転させてレンジフード１０を運転させるよう指示する。これにより、換気システム１００は、キッチン以外の居住空間も含めた屋内の空気質を改善する。
【００４３】
レンジフード１０の運転を開始した後、コントローラ２０は、所定の条件でレンジフード１０の運転を停止する。所定の条件とは、たとえば、所定時間が経過した場合、操作端末ＴＭから停止の指示を受信した場合、屋内の空気質が屋外の空気質に近づいた場合などである。レンジフード１０の運転を停止すると、コントローラ２０は、ＳＴ６００において、レンジフード停止後の開閉制御処理を行う。より具体的には、図７に示すように、コントローラ２０は、ＳＴ６０２において、上記所定の条件を満たしレンジフード１０の運転を停止するか否かを待つ。運転を停止した場合、コントローラ２０は、ＳＴ６０４において、窓駆動部４２に窓４０を閉じるように閉作動させる。また、コントローラ２０は、ＳＴ６０６において、通気口駆動部３４に通気口３９を閉じるように閉作動させる。また、コントローラ２０は、ＳＴ６０８において、ＳＨ駆動部３２にシャッター３０を開けるように開作動させる。このように、コントローラ２０は、シャッター３０を開作動させる前に窓４０を閉状態となるように制御することが好ましい。これによれば、シャッター３０と窓４０の開閉作動中にも高い防犯性を確保できる。また、シャッター３０は必ず開くものでなくともよい。
【００４４】
＜第二実施例＞
図１、図３、図８乃至図１１を参照し、本実施例における換気システム１００Ａを説明する。なお、重複記載を避けるために同じ要素には同じ符号を付し説明を省略し、上記実施例と異なる点を中心に説明する。換気システム１００Ａは、建物ＨＳの屋内の空気質を屋外の空気質に近づけるために建物ＨＳの開口部から外気を取り入れる目的でレンジフード１０を機能させる際、住宅の居室の窓を開けたままにするなど防犯上好ましくない場合に、レンジフード１０と開口部に位置する建具（シャッター）と連動させるものである。
【００４５】
換気システム１００Ａは、建物ＨＳの屋内に設置されるレンジフード１０と、建物ＨＳに設けられる手動で開閉可能な窓４０Ａと、窓４０Ａの外側に設けられる開閉制御可能な電動式のシャッター３０と、窓４０Ａとシャッター３０の間に位置する網戸５０と、レンジフード１０およびシャッター３０を制御するコントローラ２０Ａと、使用者に報知する報知部６０と、を備える。図８に示すように、窓４０Ａは、手動式なので、第一実施例ではあった窓駆動部４２を有さない。
【００４６】
窓４０Ａは、コントローラ２０Ａと通信を行う窓通信部４３と、窓４０Ａの位置を検知する窓位置検知部４１とを備える。窓位置検知部４１は、使用者によって動かされた窓４０Ａが閉まっているのか、開いているのか、開いている場合にはどの程度開いているのか、引違窓の場合にはどちらの窓が開いているのかなどを検知し、窓通信部４３を介してコントローラ２０Ａへこれらの検知情報を送信する。
【００４７】
図３、図９乃至図１１を参照して、換気システム１００Ａにおけるコントローラ２０Ａの処理フローについて説明する。コントローラ２０Ａは、ＳＴ１００において、操作端末ＴＭからレンジフード１０の運転の開始の信号（換気開始信号）を受信する。そうすると、コントローラ２０Ａは、ＳＴ２００において、シャッター３０、通気口３９、窓４０Ａの状態の確認を行う。
【００４８】
より具体的には、図９に示すように、コントローラ２０Ａは、ＳＴ２０２Ａにおいて、通信部２１とＳＨ通信部３５を介してＳＨ位置検知部３１が検知したシャッター３０の状態を取得し、シャッター３０が閉状態にあるか否かを検査する。シャッター３０が閉状態でない場合、コントローラ２０Ａは、ＳＴ２０８Ａにおいて、シャッター閉鎖フラグをＯＮにする。シャッター３０が閉状態である場合は何もしない。コントローラ２０Ａは、ＳＴ２０４Ａにおいて、同様に通気口開閉検知部が検知した通気口３９の状態を取得し、通気口３９が開放状態にあるか否かを検査する。通気口３９が開放状態でない場合、コントローラ２０Ａは、ＳＴ２１０Ａにおいて、通気口開放フラグをＯＮにする。通気口３９が開放状態である場合は何もしない。
【００４９】
コントローラ２０Ａは、ＳＴ２０６Ａにおいて、通信部２１と窓通信部４３を介して窓位置検知部４１が検知した窓４０Ａの状態を取得し、窓４０Ａが開放状態にあるか否かを検査する。窓４０Ａが開放状態でない場合、コントローラ２０Ａは、ＳＴ２１２Ａにおいて、不適正位置フラグをＯＮにする。窓４０Ａが開放状態である場合は何もしない。
【００５０】
それぞれの状態を確認したら、コントローラ２０Ａは、ＳＴ３００において、窓４０Ａが不適正位置にあった場合の報知を行う。すなわち、コントローラ２０Ａは、レンジフード１０の運転の開始を制御する際に窓位置検知部４１に窓の位置を検知させ、窓位置検知部４１は窓が閉状態であることを検知した場合、報知部６０は窓が閉状態である旨の報知を行う。コントローラ２０Ａは、窓４０Ａが不適正位置にある場合以下の処理を行わずにＳＴ２００の窓４０Ａ等の状態の確認を行い、窓４０Ａが適正位置にある場合以下の処理を行う。
【００５１】
コントローラ２０Ａは、ＳＴ４００Ａにおいて、レンジフード１０を運転させる前に、シャッター３０、通気口３９の開閉制御処理を行う。より具体的には、図１０に示すように、コントローラ２０Ａは、Ｓ４０２Ａにおいて、シャッター閉鎖フラグがＯＮか否かを検査する。シャッター閉鎖フラグがＯＮである場合すなわちシャッター３０が開放されている場合、ＳＴ４０４Ａにおいて、シャッター３０が閉状態となるように制御する。シャッター閉鎖フラグがＯＮでない場合、コントローラ２０Ａは、何もしない。
【００５２】
コントローラ２０Ａは、Ｓ４０６Ａにおいて、通気口開放フラグがＯＮか否かを検査する。通気口開放フラグがＯＮである場合すなわち通気口３９が開放状態でない場合、ＳＴ４０８Ａにおいて、通気口３９が開放状態となるように制御する。通気口開放フラグがＯＮでない場合、コントローラ２０Ａは、何もしない。コントローラ２０Ａは、Ｓ４１０Ａにおいて、シャッター閉鎖フラグ、通気口開放フラグをクリアする。
【００５３】
それぞれの開閉制御を行ったら、コントローラ２０Ａは、ＳＴ５００において、レンジフード１０の運転の開始を制御する。すなわち、コントローラ２０Ａは、通信部２１とＲＨ通信部１３を介してＲＨ制御部１１に対して排気ファンを回転させてレンジフード１０を運転させるよう指示する。これにより、換気システム１００Ａは、キッチン以外の居住空間も含めた屋内の空気質を改善する。
【００５４】
レンジフード１０の運転を開始した後、コントローラ２０Ａは、所定の条件でレンジフード１０の運転を停止する。レンジフード１０の運転を停止すると、コントローラ２０Ａは、ＳＴ６００Ａにおいて、レンジフード停止後の開閉制御処理を行う。より具体的には、図１１に示すように、コントローラ２０Ａは、ＳＴ６０２Ａにおいて、上記所定の条件を満たしレンジフード１０の運転を停止するか否かを待つ。運転を停止した場合、コントローラ２０Ａは、ＳＴ６０４Ａにおいて、通気口駆動部３４に通気口３９を閉じるように閉作動させる。また、コントローラ２０Ａは、ＳＴ６０６Ａにおいて、ＳＨ駆動部３２にシャッター３０を開けるように開作動させる。
【００５５】
上述したように、窓位置検知部４１は窓４０Ａが閉状態であることを検知した場合報知部６０は窓が閉状態である旨の報知を行うが、ＳＴ２００に処理が戻って窓４０Ａの状態の確認を行った結果、窓位置検知部４１が窓４０Ａの開状態を検知した場合、シャッター３０を閉状態となるように制御してもよい。このように、窓４０Ａが手動式である場合、窓４０Ａが閉状態の場合には使用者に報知し、使用者が窓４０Ａを開状態にしたとき、シャッター３０を閉作動させるように制御することで、手動式の窓４０Ａであっても屋内の空気質の改善を図ると共に高い防犯性を確保できる。
【００５６】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、数量、その他の詳細な構成において、当業者が様々な変形を加えることができるものである。
【符号の説明】
【００５７】
１００    換気システム
１０      レンジフード
１１      ＲＨ制御部
１２      操作部
１３      ＲＨ通信部
２０      コントローラ（制御部）
２１      通信部
３０      シャッター
３１      ＳＨ位置検知部
３２      ＳＨ駆動部
３４      通気口駆動部
３５      ＳＨ通信部
３８      ルーバー
３９      通気口
４０      窓
４１      窓位置検知部
４２      窓駆動部
４３      窓通信部
５０      網戸
５１      網戸位置検知部
５２      網戸通信部
６０      報知部
６１      報知通信部
ＨＳ      建物
ＦＬ      窓枠
ＴＭ      操作端末
【図１】
2020118421.tif 000003
【図２】
2020118421.tif 000004
【図３】
2020118421.tif 000005
【図４】
2020118421.tif 000006
【図５】
2020118421.tif 000007
【図６】
2020118421.tif 000008
【図７】
2020118421.tif 000009
【図８】
2020118421.tif 000010
【図９】
2020118421.tif 000011
【図１０】
2020118421.tif 000012
【図１１】
2020118421.tif 000013
【図１２】
2020118421.tif 000014
【図１３】
2020118421.tif 000015